(57)【要約】【課題】糸損傷の発生を減少するため、最大引張り応力を定量的に減少および／または最大引張り応力を減少動作範囲内に制限するのに適した交差巻きボビンを提供する。【解決手段】交差巻きボビン１では、巻き上げられた糸４に沿ったらせん線が隣接する糸層において異なる傾斜を有する。ワインディングのレシオは、糸引き出し点が引き出し端から元口に移動する場合に引き出される量が、糸引き出し点が元口から引き出し端に移動する場合に引き出される量と比べて大きくなるように設定されている。【選択図】図５
2004533981.tif 000002
【特許請求の範囲】
【請求項１】
ボビンコアと、
前記ボビンコアに複数の糸層として利用される糸から形成され、前記糸が終端から引き出される糸引き出し端、及び元口を備えるチーズコーンと、
を備える交差巻きボビンであって、
前記チーズコーン中の前記糸は、らせん線に沿って前記糸引き出し端から前記元口まで、また反対の糸巻き方向のらせん線に沿って前記元口から前記糸引き出し端まで延伸し、
前記らせん線の傾斜は、前記チーズコーンの少なくとも１の領域において互いに異なり、
前記１の領域において、前記チーズコーンの外側にある糸引き出し点が前記糸引き出し端から前記元口に向けて移動する場合に引き出される前記糸の長さは、当該１の領域において、前記糸引き出し点が前記元口から前記糸引き出し点に向かって移動する場合に引き出される該糸の長さよりも大きい、
ことを特徴とする交差巻きボビン。
【請求項２】
前記領域は、第１の直径から第２の直径にまで広がる領域であることを特徴とする請求項１に記載の交差巻きボビン。
【請求項３】
前記領域は、第１の点から、該第１の点から軸方向へ離間して間隔を置いた第２の点にまで広がる領域であることを特徴とする請求項１に記載の交差巻きボビン。
【請求項４】
請求項１に基づいた異なるワインディングレシオ、を有する領域を少なくとも１つさらに備えることを特徴とする請求項１に記載の交差巻きボビン。
【請求項５】
前記ボビンコアは、ボビンチューブから形成されていることを特徴とする請求項１に記載の交差巻きボビン。
【請求項６】
前記チーズコーンは、前記糸引き出し端上の被覆から解放されていることを特徴とする請求項１に記載の交差巻きボビン。
【請求項７】
１の糸層が転換点で次の糸層に転換し、前記元口及び前記糸引き出し端のいずれも一方が他方の直上にある連続的な転換点ではない、ことを特徴とする請求項１に記載の交差巻きボビン。
【請求項８】
前記転換点は、円周方向及び／または前記チーズコーンの軸に対する長手方向において互いに転置されていることを特徴とする請求項７に記載の交差巻きボビン。
【請求項９】
前記チーズコーンは、モアレ（moire）模様が生じていない連続した糸層として形状づけられていることを特徴とする請求項１に記載の交差巻きボビン。
【請求項１０】
前記チーズコーンは、少なくとも前記糸が交差巻きボビンに完全に巻かれている状態で、円柱形状を有することを特徴とする請求項１に記載の交差巻きボビン。
【請求項１１】
前記チーズコーンは、動作範囲全体で円柱形状を有することを特徴とする請求項１に記載の交差巻きボビン。
【請求項１２】
前記チーズコーンは、少なくとも前記糸が交差巻きボビンに完全に巻かれている状態で、前記糸引き出し端に向かって円錐形状に漸減していることを特徴とする請求項１に記載の交差巻きボビン。
【請求項１３】
前記チーズコーンは、糸の消費が進行することによって円錐形状から円柱形状に変形するように形状づけられていることを特徴とする請求項１に記載の交差巻きボビン。
【請求項１４】
前記糸は、紡績糸と、モノフィラメント糸と、マルチフィラメント糸と、より糸とを含む部類に属する、ことを特徴とする請求項１に記載の交差巻きボビン。
【請求項１５】
前記糸は、織布または機業用途のための糸である、ことを特徴とする請求項１に記載の交差巻きボビン。
【請求項１６】
前記糸が１の糸層に巻き上げられる角度は、前記チーズコーンの軸に対して垂直な平面からいずれも測定した角度であって３０°から１２°の間の定量的な角度であり、
前記糸が他の糸層に巻き上げられる角度は、前記平面からいずれも測定した角度であって０．５°から１５°の間の定量的な角度である、
ことを特徴とする請求項１に記載の交差巻きボビン。
【請求項１７】
前記元口から前記糸引き出し端までの糸巻きと、前記糸引き出し端から前記元口までの糸巻きとのワインディングレシオは、１：１．２から１：１０の間、好ましくは１：１．５から１：８の間にあることを特徴とする請求項１に記載の交差巻きボビン。
【請求項１８】
前記チーズコーンは、前記アンワインディングエンドおよび／または前記元口において切等円錐形状を有することを特徴とする請求項１に記載の交差巻きボビン。
【発明の詳細な説明】
【技術分野】
【０００１】
本発明は、織機や編機等に用いられる交差巻きボビンに関する。
【背景技術】
【０００２】
チーズまたはチーズパッケージとも呼ばれる交差巻きボビンは、糸を引き出して織機や編機のような糸を使用する機械に供給するための供給ボビンである。交差巻きボビンのチーズコーンは、自己支持型であって、面端にエンドプレートを必要としない。チーズコーン内の支持が、フランジ型の平行巻きボビンのように糸巻きが接近していることよりもむしろ、糸または縫糸が比較的高ピッチなあや振りでらせん上に巻かれることによって行き渡る。らせん線のピッチトラバースは高く、個々の糸層の糸が複数回交差し、糸層の下の層が安定する。同時に、糸層の下に被覆面が形成される。
【０００３】
個々の糸層の糸が交差する位置においての傾斜角や交差角により、平行巻きボビンに見られるような、糸が個々の糸巻き間で下部の糸層に入り込むようなことが防止される。チーズコーンの面端では、糸が転換点で１の糸層を次の糸層、または、１のらせん線を他のらせん線へ変える。２つの面端でのターニングポイントは、面端を安定させるためにチーズコーン中でコンスタントに位置を変更する。
【０００４】
糸を上端、すなわち終端から引き出すためには、交差巻きボビンの少なくとも一方の面端への自由なアクセスが必要である。終端アンワインディングでは、交差巻きボビン自体は、静止状態を保つ。糸は、静止状態の交差巻きボビンから、糸を通す穴を介して引き出される。糸を通す穴は、糸引き出し端から間隔をあけて、交差巻きボビンの対称軸上に配置される。
【０００５】
独国公開特許公報ＤＥ４１４２８８６号公報にピッチトラバースが糸層によって異なっている交差巻きボビンが開示されている。すなわち、１の糸層の糸が形成するらせん線の傾斜が、上または下の糸層の糸が形成するらせん線の傾斜と定量的に異なる。
【発明の開示】
【発明が解決しようとする課題】
【０００６】
異なる傾斜は、交差巻きボビンをほどく際の問題を解決するためのものである。傾斜の角度が同一の場合、糸が交差点に付着しやすく、このために糸を引き出す能力が低下する。この付着は急激に糸を引き出す力を増大させ、この結果糸切れが生じる。
【０００７】
公知の交差巻きボビンを製造するため、様々な繰り返し運動速度で動作するあや振り装置が使用される。製造される交差巻きボビンは、チーズコーンの外側にある糸の糸引き出し点が糸引き出し端から元口に向けて移動する場合に引き出される糸の量は、糸引き出し点が反対方向に向けて移動する場合に引き出される量と比較して少ない。
【０００８】
近似の繊維機械、特に織機は、糸の供給速度によって制限される速度を達成している。
【０００９】
図１に、公知の交差巻きボビン１から糸を引き出すことに含まれている状態を概略的に示す。交差巻きボビン１は、交差巻きボビン１は、管状のボビンチューブ３に巻き上げられたチーズコーン２を含む。より糸または糸４は、チーズコーン２を形成する。糸４は、公知のあや振り装置の助力によって糸巻き層に巻き上げられる。２または３の糸層が概略的かつ部分的に示されている。１の糸層５の糸と、他の糸層６の糸とを示す。例えば、糸層５を内側にある糸層または糸巻きとし、糸層６または糸巻きを半径方向のさらに外側にある層とする。一方の糸層、例えば糸層５において、糸４の糸巻きが反時計回りのらせんを形成し、糸層６においての糸巻が時計回りのらせんを形成する。糸５が巻き上げられる傾斜角度は、ボビンチューブ３の縦軸に直交する平面７と比較して定量的に大きい。すなわち、糸層５と糸層６とによって形成される、らせんの傾斜の高さは、糸４の厚みの複数倍である。このように、１の糸層の糸巻きが他の糸層に入り込むことが防止され、また糸層がばらばらになることが防止される。
【００１０】
このようにして得られた交差巻きボビン１は、実質的に平坦な環状面である糸引き出し端８を形成する。糸のコースが１の糸層から次の糸層、すなわち１のらせん線から反対方向のらせん線に変わる転換点が、糸引き出し端の領域内に位置する。糸引き出し端の領域内の転換点９は、可能なかぎりランダムに分散され、より具体的には、円周方向と、所定の範囲内の偏差で軸方向とに分散される。これらの規定は、一方では、糸引き出し端の効率的な安定を得るためのものであって、他方では糸の材料の固結を防止するためのものである。
【００１１】
交差巻きボビン１の他の軸端には、図１に示す糸引き出し端８と同様に形成されている脚端が形成されている。
【００１２】
糸４が、交差巻きボビン１の外側環状面から、該交差巻きボビン１から軸方向に間隔をあけて配置されてかつ対象軸上に位置する糸を通す穴１１を介して引き出される。糸を通す穴１１は、空間上に固定されている。交差巻きボビン１も同様に、糸が引き出される間は固定されている。
【００１３】
ボビンの実効面への糸の付着により、明示する糸引き出し点１２が糸の引き出しの際に糸４が移動する方向である糸のコース上に発展し、もはや交差巻きボビン１の内側にある糸のコースに対応しない。糸引き出し点１２は、糸４がチーズコーン２の外側に形成するらせん線に沿って円周方向に移動するとともに、交差巻きボビン１の軸方向に移動する。
【００１４】
円周方向に糸引き出し点１２が回転する速度、換言すると、角速度は、糸の引き出し速度とチーズコーン２の直径とに依る。チーズコーン２の直径が大きいほど、引き出し速度は遅く、糸引き出し点１２が回転する角速度が遅い。その反面、引き出し速度が一定で、糸の消費の増加によって糸巻きの径が減少した場合、角速度が増加する。
【００１５】
糸引き出し点１２がチーズコーン２の円周を中心として回転するので、糸を通す穴１１と糸引き出し点１２との間の糸の一部が、糸を通す穴１１とチーズコーン２に対象な軸とによって規定される仮想の軸を中心として回転する。この回転によって遠心力が生じ、この遠心力が糸の引き出し長さを半径方向の外方向に向けて押す傾向がある。
【００１６】
チーズコーンに糸が完全に巻かれている状態において、与えられた糸消費率では、チーズコーン２の末口からの、糸４の糸引き出し点１２の回転速度は、比較的ほんのわずかである。付随遠心力は、糸引き出し点１２直近の糸４をチーズコーン２の末口から引き出すには不十分である。糸引き出し点１２の縁端では、糸３は、糸引き出し端８を通過してチーズコーン２の末口を摺動し、開放位置に到達する。
【００１７】
空間中において、糸が浮遊する長さは、頂点が糸を通す穴１１に位置する回転面を規定する。この面の母線は、糸が浮遊する長さ自体であって、複雑な３次元曲線を描く。糸が浮遊する長さは、遠心力のみならず、空気抵抗に係るので、糸のコースは１平面に位置するシンプルな線ではない。糸が浮遊する長さによって規定される体積は、糸バルーンとして知られている。
【００１８】
糸の消費が増加することにより、チーズコーン２の外径が減少する。糸の引き出し速度が一定なので、糸引き出し点１２は、外径の減少に起因する、周方向に沿った糸の長さの減少を相殺するため、必然的により速く回転する。
【００１９】
所定の角速度を超えると、遠心力が、十分に大きくなり、糸引き出し点１２の直近に隣接するチーズコーン２の末口から糸４を持ち上げる。
【００２０】
糸層が備える糸の下部の糸層への付着、形状変化による糸の空気抵抗の不規則性、糸張力の変動および他の要素は、糸を引き出す状態が、糸引き出し点１２の角速度の範囲内で、チーズコーン２の表面を摺動する状態とこの表面上で浮遊する状態とにコンスタントに交互することをもたらす。発明者は、２つの引き出し状態への交互は、引き出し口１２が糸引き出し端８から移動するのか、あるいは糸引き出し端８へ向けて移動するのかどうかということにも影響されるということを確認した。
【００２１】
糸引き出し点１２が糸引き出し点８から離間するように移動する場合、回転速度及び遠心力が増し、糸引き出し点１２の直近に隣接する糸４がチーズコーン２の末口からほつれ、また回転面上で浮遊する傾向がある。一方、糸引き出し点１２が糸引き出し端８に向かって移動した場合、回転速度及び遠心力が減少し、糸４が末口上を摺動する傾向がある。
【００２２】
この点について、チーズコーン２の末口における空気抵抗の作用は、対応する影響を有している。
【００２３】
糸引き出し点の角速度がさらに増すと、糸が表面上を摺動する状態への転換が生じなくなる。
【００２４】
糸の消費が進行することにより、チーズコーン２の直径がますます収縮し、また糸引き出し点１２の角速度がさらに増す。大気中の大きな糸速度により、初期にいわゆる２重バルーンを形成する単一バルーンが生じ、この２重バルーンは狭窄部によって互いに接合された明確に識別可能な２つのバルーン部位を備える。この状態での、糸が浮遊する長さを図２に示す。
【００２５】
図１に示す状態から図２に示す状態への変化は、さらに、図１の形状から図２の形状への一定の交替がある範囲内で生じる。所定の角速度を超えてはじめて図２の形状が排他的に発達する。
【００２６】
非常に小さなパッケージ直径で、最終的に、３重バルーンが見分けのつく２つの狭窄部とともに形成される。この３重バルーンに関連したバルーンコースを、図３に示す。図２の形状から図３の形状への変化は、バルーンがコンスタントに２重、３重に交互する角速度範囲にわたる。糸に生じる、異なる力や糸張力は、明らかにバルーンの種々なタイプに関連している。
【００２７】
糸の強度は、平均の引張り強度値を中心にした鐘形曲線分布を有する。強度値の偏差のため、糸には著しく高い損傷強度を有するセグメントと、それとは反対に著しく小さい力で損傷するセグメントとがある。
【００２８】
そして、糸使用装置は、単一の一定な力を確実に生成しない。一方、この力は鐘形曲線に分布される。糸損傷は、糸の張力曲線に、実際に生じる力の正規曲線が重複する範囲、換言すると、２つの正規曲線が重複する範囲で予期される。重複面積が大きいほど、糸が糸使用装置側で損傷し、これが機械の停止時間につながる。
【００２９】
糸のうち、交差巻きボビンから完成した織物までを通過する必要がある、非常に余話余話しい部分は、交差巻きボビンから引き出された部分である。
【００３０】
図４に、交差巻きボビン１のパッケージ径に対して糸張力のコースを座標表示したものを示す。パッケージ径の寸法の単位は、ミリメートルであって、張力の測定の単位はｃＮ（グラム）である。激しくジグザグする上部曲線１３は、最大付随力を示すものであって、それぞれ１００回測定された値である。下方の暗色管状または帯状の範囲１３は、測定された張力値の統計的な標準偏差を示している。付随張力の統計的な平均値は、この帯のほぼ中央に位置する。このグラフは１から６に番号付けられたゾーンに分割される。
【００３１】
交差巻きボビン１から糸４の引き出しは、交差ボビンの最大直径、例えば２８０ｍｍ程度から開始される。この直径では、糸引き出し点１２の角速度は非常に遅く、遠心力は糸を交差巻きボビン１の糸引き出し点１２直近の末口からたるませない。この動作状態では、糸４は被覆面上を摺動し、帯１４に示すように平均値が比較的低く、また、標準偏差が過度に高くはないが、比較的高い最大引張り応力が生じる。最大引張り応力は、糸の表面が滑らかではないので、被覆面上を摺動する糸４が交差巻きボビン１に引っかかることに起因する。糸が毛羽立つ。
【００３２】
糸が摺動する動作状態は、その形状を維持しつつパッケージ径が２６０ｍｍ程度になるまで続く。
【００３３】
約２６０ｍｍ以下、すなわち、グラフ中のゾーン１からゾーン２への転換すると、糸４が糸引き出し点１２の直近の末口からたるんでいる状態が散発的に生じる。バルーンがすでに糸引き出し点１２から形成されている範囲では、最大引き出し力が急激に低下し、そしてバルーンが糸引き出し端７近傍で形成されると直ちに上昇する。従って、ゾーン２では、最大引き出し力の、非常に大幅な変動や標準偏差の範囲内での比較的大幅な変動が見られる。
【００３４】
径の減少がさらに進行すると、換言すると、ゾーン２の右側では、糸引き出し点１２近傍のバルーンが安定な状態を続ける。摺動を有する糸の引き出しはこれ以上起こらない。最大付随引張り力が急激に低下する。標準偏差が低くなり、平均値もまた低くなる。ゾーン２の右側では、明らかに、引き出された糸４には機械的により小さい重負荷が加わる。糸切れもまた同様に著しく減少する。
【００３５】
１６０ｍｍ程度までの直径の減少、すなわちゾーン３内では、一定の状態が続き、糸張力がほんのわずかに上昇する。糸張力の増加は、より速い回転速度と、空気抵抗からのより大きな負荷の付随と、バルーン中に位置するより糸の大きな質量とに基づく。
【００３６】
ゾーン３の右側に向けて、最大引張り応力および平均値のはっきりした増大が見られる。ここで、バルーンは、より大きなサイズを持ち、より大きな遠心力によってより高い引張り応力が生じる。単一のバルーンと２重のバルーンとの間で不規則に分配された交互もまた生じる。ゾーン４の終わりにかけて、２重バルーンのために遠心力が急激に減少し、この結果引張り応力もまた減少する状態についに転じる。また、標準偏差と、生じる最大応力、すなわち非常に値が高くなる例外的な応力とが急激に減少する。ゾーン５の終わりにおいて、直径６０ｍｍ未満で、３重バルーンへの変化が最終的に見られる。ゾーン５の終わりにおいて、最大引張り応力は再度比較的鋭利に上昇し、そして３重バルーンが安定状態に発達すると急激に減衰する。
【００３７】
上記実状に鑑み、本発明は、糸損傷の発生を減少するため、最大引張り応力を定量的に減少および／または最大引張り応力を減少動作範囲内に制限するのに適した交差巻きボビンを提供することを目的とする。
【課題を解決するための手段】
【００３８】
上記目的は、請求項１に特徴が記載された、本発明に係る交差巻きボビンによって達成することができる。
【００３９】
本発明に係る交差巻きボビンにおいては、個々の糸層が異なる傾斜を有するらせん線によって巻き上げられる。これら糸層は糸巻きであって、糸引き出し点が糸引き出し端から元口に向けて移動する場合に引き出される糸の長さが、糸引き出し点が元口から糸引き出し端に向けて移動する場合に引き出される糸の長さと比べて長い。換言すると、末口から元口に向けて移動する糸引き出し点に沿ったらせんが、元口から末口に向けて移動する糸引き出し点に沿ったらせんよりも著しく小さな傾斜を有する。これにより、糸引き出し点が比較的高速で糸バルーンから離間するように移動することに起因する、バルーンへの好ましくない影響を低減することが可能となる。糸引き出し点がバルーンから離間するように移動することによるらせん線の微細な傾斜のため、バルーンから離間した糸引き出し点の軸方向速度が著しく低減され、またバルーンへの好ましくない影響が低減される。
【００４０】
本発明の交差巻きボビンは、より小さな直径では、上述のように最大付随応力の観点から見てより好ましい２重バルーンをより明確に示す。もう一度説明すると、単一バルーンと２重バルーンとの間での転換が生じる直径範囲が著しく減少される。より小さな範囲は、糸損傷の発生を軽減させる。
【００４１】
摺動引き出しが生じた場合、本発明の交差巻きボビンでは、摺動糸引き出しと浮遊糸引き出しとの間でのコンスタントな変動が非常に小さな径範囲に低減される。
【００４２】
従来技術と比較して、糸引き出し点から始まる安定した浮遊バルーンが、チーズコーンが非常に大きな直径を有する状態ですでに発達する。
【００４３】
いずれにしても、本発明はより速い引き出し速度を可能にする。
【００４４】
チーズコーン中のらせん線のピッチトラバースの好適かつ柔軟な選択により、それぞれ他の種の糸引き出しまたはバルーンの形成への転換が生じた場合、または換言すると、摺動引き出し状態から浮遊状態への糸引き出し点の不可逆的な転換が生じた場合、または、２重バルーンもしくは３重バルーンが不可逆的に生じた場合に、所定の範囲内に抑えることが可能となる。
【００４５】
本発明のさらなる特徴もまた、独立請求項の主体である。
【発明を実施するための最良の形態】
【００４６】
図５に本発明の交差ボビン１を概略的に示す。
【００４７】
本発明の交差巻きボビン１は、従来技術の交差巻きボビン１と同一の基本構成を有する。本発明の交差巻きボビン１は、チーズコーン２が適用されるボビンチューブ３を備える。チーズコーン２の末口上の糸のコースを概略的に示す。糸を引き出す状態で、図示する糸引き出し点１２が、可視的な上部糸層を、元口１６から糸引き出し端または末口８へ向かう矢印方向１５に移動する。糸層は時計回りのらせんを形成する。上部糸層が取り除かれるとすぐに、糸引き出し点１２は隣接する層に移動し、ここで、糸引き出し点１２’（次の糸層中に配置されているので、’を付す）は矢印１７の方向に移動する。この層は、反時計回りのらせん状の糸４を含む。
【００４８】
図５に明示するように、糸引き出し点１２’は、末口または糸引き出し端８から元口１６へ移動する場合に２．５回転するが、元口１６から糸引き出し端８に移動する場合には約１回転する。ワインディングレシオは、例示するものでは、１から２．５である。図示するワインディングレシオから始めて、１：１０までのワインディングレシオ、好ましくは１：５のワインディングレシオが考えられる。これらのワインディングレシオは、連続する糸層のワインディングレシオが１：１の交差巻きボビンと比べて、引き出し力の値の改善につながる。「アンワインディングレシオ」という語は、糸が元口から糸引き出し端にかけて巻かれている巻数と、糸が反対方向に巻かれている巻数との比率という意義を有する。
【００４９】
換言すると、時計回りのらせんを有する糸層の糸４と平面７との間の角度αは、反時計回りのらせんを有する糸層の糸４と平面７との間の角度βよりも大きい。
【００５０】
上記の差異とは別に、図５に示す交差巻きボビン１は、通常と同一の基準に基づいて製造される。糸の材料の固結は防止され、またそうするために、糸引き出し端８と元口１６との両方にある転換点９が位置を変える。モアレ（moire）効果または問題を起こす規則性を防止するため、同一の糸巻き方向を有する次の糸層に関連した糸のコースを、可能なかぎり不規則に定めることが考えられる。
【００５１】
図５に示す円錐形状に加え、交差巻きボビン１は、好適な糸巻きにより、コーンの角度が直径に対応して変化するような、例えば元口がより小さな直径を有するような形状を有してもよく、この場合は円柱形状を有する。また、糸引き出し端８近傍のチーズコーン２が、最初は円柱形状、次に切頭円錐形状の領域に変化する、交差巻きボビン１を製造してもよい。この場合には、双曲面形状を近似する。
【００５２】
また、チーズコーンは、今日一般的なように、全長さ及び全直径の全てにおいて円柱形状を有していてもよい。
【００５３】
糸巻き直径が１００ｍｍでの一連の実験において観察された改善を、次のようにテーブルに示す。
2004533981.tif 000003
【００５４】
６５ｍｍ程度のパッケージ径に対しては、以下の関係が属する。
2004533981.tif 000004
【００５５】
傾斜角度α及びβは、糸引き出し端８の周縁領域と元口１６の周縁領域とを除いて一定である。しかしまた、α及びβは、軸の長さにわたり様々で、さらに径の間隔に依る。そして、チーズコーンの内部に、半径幅に関係し、全軸長さを持たない糸巻きを形成することによってボビンに完全に糸が巻かれている状態まで拡大する円錐角を形成することも考えられる。
【００５６】
選択する特定の形状及び角度の比率を、実験によって個々に確かめる必要がある。これは、糸の引き出し工程において、糸の直径と同様に糸の種類と糸の材料との全てが実質的な役割を担っているためである。従って、一連の実験を最大限に利用することが必須である。
【００５７】
交差巻きボビンにおいて、糸が巻き上げられているらせん線は、近傍の層とは異なる傾斜を有する。ワインディングレシオは、糸引き出し点が糸引き出し端からから元口に移動する場合に引き出される量が、糸引き出し点が元口から糸引き出し端に移動する場合に引き出される量よりも大きくなるように設定されている。
【図面の簡単な説明】
【００５８】
【図１】従来の交差巻きボビンを説明するための概略図である。
【図２】２重バルーンを説明するための図である。
【図３】３重バルーンを説明するための図である。
【図４】交差巻きボビン１のパッケージ径に対する糸張力を説明するためのグラフである。
【図５】本発明の実施の形態に係る交差巻きボビンを説明するための概略図である。
【国際公開パンフレット】
2004533981.tif 000005
2004533981.tif 000006
2004533981.tif 000007
2004533981.tif 000008
2004533981.tif 000009
2004533981.tif 000010
2004533981.tif 000011
2004533981.tif 000012
2004533981.tif 000013
2004533981.tif 000014
2004533981.tif 000015
2004533981.tif 000016
2004533981.tif 000017
2004533981.tif 000018
2004533981.tif 000019
2004533981.tif 000020
2004533981.tif 000021
2004533981.tif 000022
2004533981.tif 000023
2004533981.tif 000024
2004533981.tif 000025
2004533981.tif 000026
2004533981.tif 000027
2004533981.tif 000028
2004533981.tif 000029
2004533981.tif 000030
2004533981.tif 000031
2004533981.tif 000032
【国際調査報告】
2004533981.tif 000033
2004533981.tif 000034
2004533981.tif 000035
2004533981.tif 000036
2004533981.tif 000037
2004533981.tif 000038